(57)【要約】      （修正有）【課題】通常毎日行う歯磨きでは、口内から分泌される唾液や歯ブラシに付着した水道水などの液体が歯ブラシに塗布した歯磨き粉と混ざって、口→歯ブラシ→指→手→肘を通じて液垂れを起こし、手と肘や衣類の袖および床面を汚してしまうので、手と肘や衣類の洗浄および床面の清掃などが必要となり毎日の生活が面倒になる。このような液垂れを防止する器具を提供する。【解決手段】手首を挟み込むより少し大きめのピンチ１と、ピンチ１の挟み込む先端２ヶ所にＵ字形状の手首ホールド樹脂２の両端２ヶ所を取り付けフック６で取り付けた構造で、ピンチ１を歯ブラシを持つ反対の手で広げてから広がった部分に歯ブラシを持つ手の手首を下からワンタッチで挟み込んで装着して使用することで、歯磨きによる液垂れを手首部分でくい止めて滴下させる。【選択図】図１
2019063289.tif 000002
【特許請求の範囲】
【請求項１】
ピンチの挟み込む内側の先端２ヶ所にＵ字形状の手首ホールド樹脂の両端２ヶ所を取り付けフックで取り付けた構造を特徴とする、歯磨き液垂れストッパー。
【発明の詳細な説明】
【技術分野】
【０００１】
本発明は、歯磨きを行った時に口内から分泌される唾液や歯ブラシに付着した水道水などの液体が歯ブラシに塗布した歯磨き粉と混ざって、口→歯ブラシ→指→手→肘を通じて液垂れして、手と肘や衣類の袖および床面を汚さないための、歯磨き液垂れストッパーに関するものである。
【背景技術】
【０００２】
歯磨きを行った時の液垂れによる汚れ対策では、これまで液垂れを防止する有効な技術を持った器具が無かったため、歯磨き前に衣類の袖をまくり上げたり、歯磨き後に指先から肘までを洗浄したり、床面を掃除するのが一般的である。
【０００３】
歯ブラシの柄へ漏斗を着脱自在に嵌着して、歯ブラシの柄と漏斗の朝顔部との間に液受けを形成するようにしたことを特徴とする、歯磨き液垂れ受け付き歯ブラシが知られている（特許文献１参照）。
【０００４】
腕に接するゴム状の内接部と、一端が切れて重なり合う面を有する、すり鉢状の輪が一体化されており、材料及び本形状が有する弾性により腕に密着させる構造としたことを特徴とする、水垂れ防止用腕輪が知られている（特許文献２参照）。
【０００５】
ゴムリングを手首に装着して液体の垂れを阻止し、かつ液体がゴムリングを乗り越えてこないように外郭部に反りをもった鍔を付けることにより手首のところで液体を落下させるようにしたことを特徴とする、鍔つき手首用ゴムリングが知られている（特許文献３参照）。
【０００６】
磨き垂れ止めは、ブラシ側を平面にして歯磨きの時の雫が滴下しやすい形状にして手元に磨き垂れが流れてくる不快感を軽減し、衛生的で気持ちよく歯磨きができることを特徴とする、磨き垂れ止め付き歯ブラシが知られている（特許文献４参照）。
【０００７】
ゴムリングを手首に装着して液体の垂れを阻止し、かつ液体がゴムリングを乗り越えてこないように外郭部に反りをもった鍔を付けることにより手首のところで液体を落下させるようにしたことを特徴とする、手首用止水ゴムリングが知られている（特許文献５参照）。
【０００８】
歯ブラシのハンドル正面部分に液を集めるための窪みを形成して、歯磨き中に生じる磨き垂れの液を集め、窪みに連通して形成した溝を通して該溝下部に形成した穴から後部へ液を流すことにより、歯磨き中に磨き垂れの液が手に付かない構成を特徴とする、液付着防止用溝付歯ブラシが知られている（特許文献６参照）。
【先行技術文献】
【特許文献】
【０００９】
【特許文献１】特開２００３−０００３４８号公報
【特許文献２】特開２００９−０９７１３１号公報
【特許文献３】特開２０１０−２４０３６７号公報
【特許文献４】特開２０１１−０８７８９４号公報
【特許文献５】特開２０１１−１３２６４５号公報
【特許文献６】特開２０１５−１３１０７８号公報
【発明の概要】
【発明が解決しようとする課題】
【００１０】
通常毎日行う歯磨きでは、口内から分泌される唾液や歯ブラシに付着した水道水などの液体が歯ブラシに塗布した歯磨き粉と混ざって、口→歯ブラシ→指→手→肘を通じて液垂れを起こし、手と肘や衣類の袖および床面を汚してしまうので、手と肘や衣類の洗浄および床面の清掃などが必要となり毎日の生活が面倒になるため、このような液垂れを防止する器具を必要とした。
【００１１】
特許文献１と特許文献４の従来技術では、歯ブラシに突起部分があるため誤って口を傷つけてしまう危険性があるが、本発明は、歯ブラシに突起部分を必要としない歯磨き液垂れストッパーであり安全性に優れている。
【００１２】
特許文献２の従来技術では、不特定多数の手の形状の違いに対応できないため密着できずに液漏れを完全には防げないが、本発明は、自由に動くことができる手首ホールド樹脂とピンチのバネによりどのような手首にも安定して密着できる歯磨き液垂れストッパーであり液漏れ防止に優れている。
【００１３】
特許文献３と特許文献５の従来技術では、器具に手首を通して装着するため装着に時間や手間がかかってしまうが、本発明は、ピンチで手首を挟むだけの歯磨き液垂れストッパーでありワンタッチによる簡単装着に優れている。
【００１４】
特許文献６の従来技術では、歯ブラシのブラシ部分を上に向けて持った時だけ機能するため口内の歯をくまなく歯磨きすることができないが、本発明は、歯ブラシをどのような向きで持っても機能する歯磨き液垂れストッパーであり汎用性に優れている。
【課題を解決するための手段】
【００１５】
本発明は、手首を挟み込むより少し大きめのピンチと、ピンチの挟み込む先端２ヶ所にＵ字形状の手首ホールド樹脂の両端２ヶ所を取り付けフックで取り付けた構造で、ピンチを歯ブラシを持つ反対の手で広げてから広がった部分に歯ブラシを持つ手の手首を下からワンタッチで挟み込んで装着して使用することで、歯磨きによる液垂れを本発明が手首部分でくい止めて滴下させる。
【発明の効果】
【００１６】
本発明を歯ブラシを持つ手の手首に装着することで、歯磨きによる液垂れを手首部分でくい止めて滴下させることにより、手と肘や衣類の袖および床面を汚さずに歯磨きできる効果がある。
【００１７】
本発明の歯ブラシホールドに歯ブラシを取り付けて自立させることで、歯ブラシ立てとしての機能を有し省スペース化の効果がある。
【図面の簡単な説明】
【００１８】
【図１】本発明の斜視図
【図２】本発明の吸水スポンジ取り付けバージョンの斜視図
【図３】本発明のピンチと手首ホールド樹脂の部品図
【図４】本発明のピンチと手首ホールド樹脂の組立図
【図５】本発明の正面図
【図６】本発明のピンチを開いた使用図
【図７】本発明のピンチを開いて手首を挟んだ使用図
【図８】本発明のピンチを閉じて手首ホールド樹脂で手首を挟み込んだ使用図
【図９】本発明を手首に取り付けた使用図
【図１０】本発明を使用しない場合の歯磨きした時の液垂れの問題点の説明図
【図１１】本発明を使用した場合の歯磨きした時の液垂れが解決した説明図
【図１２】本発明の吸水スポンジ取り付けバージョンの説明図
【図１３】本発明に歯ブラシを取り付けて自立させた使用図
【発明を実施するための形態】
【００１９】
図１にあるように、本発明は、ピンチ（１）と手首ホールド樹脂（２）とバネ（３）と歯ブラシホールド（４）とスタンド（５）と取り付けフック（６）からなる構成を基本とし、吸水スポンジ取り付けバージョンでは、図２にあるように、吸水スポンジ（７）を構成に加える。
【００２０】
図２にあるように、吸水スポンジ（７）は手首ホールド樹脂（２）に取り付けて連動して動く構造とする。
【００２１】
図３にあるように、Ｕ字形状の手首ホールド樹脂（２）の両端には外側に取り付けフック（６）を設け、ピンチの縦透視（９）とピンチの横断面（１０）には取り付け穴（８）を施す。
【００２２】
図４にあるように、Ｕ字形状の手首ホールド樹脂（２）の両端の外側に設けられた取り付けフック（６）をピンチの縦透視（９）とピンチの横断面（１０）に施した取り付け穴（８）にはめ込んで取り付け、また取り外しも自由に行える構造とする。
【００２３】
図１にあるように、歯ブラシホールド（４）とスタンド（５）も図４と同じように取り付けフック（６）でピンチ（１）に取り付ける。
【００２４】
図５と図６と図７と図８にあるように、Ｕ字形状の手首ホールド樹脂（２）はシリコーンなどの柔軟な材料で成形し、ピンチ（１）の動きや手首（１２）の形状に合わせて自由に変形することで手首（１２）に密着して液漏れを防ぐ。
【実施例１】
【００２５】
図５にあるように、本発明を使用しない時はピンチ（１）が閉じられた状態になっている。
【００２６】
図６にあるように、ピンチ（１）を歯ブラシを持つ反対の手で広げると、ピンチ（１）に取り付けフック（６）で取り付けている手首ホールド樹脂（２）が広がり、合わせてピンチ（１）と手首ホールド樹脂の隙間（１１）も広がる。
【００２７】
図７にあるように、広がったピンチ（１）で歯ブラシを持つ手の手首（１２）を下から挟み込む。
【００２８】
図８にあるように、ピンチ（１）を閉じると、バネ（３）の力で手首ホールド樹脂（２）が手首（１２）に密着して挟み込む。
【００２９】
この時、ピンチ（１）と手首ホールド樹脂（２）を先端の２ヶ所だけで取り付けているため、固定されていない手首ホールド樹脂（２）の部分が自由に動くことが可能となり、手首ホールド樹脂（２）が手首（１２）の形状に合わせて柔軟に変形できるので密着度が極めて高くなり液漏れを防ぐ。
【００３０】
また、本発明の本体をピンチ（１）とすることで、手首（１２）への着脱がワンタッチで可能となり、着脱時間もそれぞれ１秒程度と極めて素早く行えるので使用者へのストレスが軽減できる。
【００３１】
図９にあるように、本発明を歯ブラシ（１７）を持つ手（１３）の手首（１２）に下から装着する。
【００３２】
図１０にあるように、本発明を使用しない場合は、口内から分泌される唾液や歯ブラシ（１７）に付着した水道水などの液体が歯ブラシ（１７）に塗布した歯磨き粉と混ざって、口（１４）→歯ブラシ（１７）→指→手（１３）→肘を通じて液垂れ（１５）を起こし、手（１３）と肘や衣類の袖および滴下（１６）して床面を汚してしまう。
【００３３】
図１１にあるように、本発明を使用した場合は、口内から分泌される唾液や歯ブラシ（１７）に付着した水道水などの液体が歯ブラシ（１７）に塗布した歯磨き粉と混ざって出た液垂れ（１５）を手首（１２）に装着した本発明がくい止めて滴下（１６）させることで洗面台に落下することが可能となり、手（１３）と肘や衣類の袖および床面を汚すことがない。
【００３４】
図１２にあるように、本発明の吸水スポンジ取り付けバージョンを使用した場合は、口内から分泌される唾液や歯ブラシ（１７）に付着した水道水などの液体が歯ブラシ（１７）に塗布した歯磨き粉と混ざって出た液垂れ（１５）を手首（１２）に装着した本発明がくい止めた後、吸水スポンジ（７）が吸い取ることで、手（１３）と肘や衣類の袖および床面を汚すことがない。
【実施例２】
【００３５】
図１３にあるように、本発明を使用しない時は、歯ブラシホールド（４）に歯ブラシ（１７）を取り付けて自立面（１８）に自立させることで、歯ブラシ立てとして利用できる。
【００３６】
この時、スタンド（５）とスタンド（５）を装着していないピンチ（１）の下部が、自立面（１８）に対してＴ字状に接するので安定して自立できる。
【符号の説明】
【００３７】
１  ピンチ
２  手首ホールド樹脂
３  バネ
４  歯ブラシホールド
５  スタンド
６  取り付けフック
７  吸水スポンジ
８  取り付け穴
９  ピンチの縦透視
１０  ピンチの横断面
１１  ピンチと手首ホールド樹脂の隙間
１２  手首
１３  手
１４  口
１５  液垂れ
１６  滴下
１７  歯ブラシ
１８  自立面
【図１】
2019063289.tif 000003
【図２】
2019063289.tif 000004
【図３】
2019063289.tif 000005
【図４】
2019063289.tif 000006
【図５】
2019063289.tif 000007
【図６】
2019063289.tif 000008
【図７】
2019063289.tif 000009
【図８】
2019063289.tif 000010
【図９】
2019063289.tif 000011
【図１０】
2019063289.tif 000012
【図１１】
2019063289.tif 000013
【図１２】
2019063289.tif 000014
【図１３】
2019063289.tif 000015